(57)【要約】【課題】携帯電話機等に搭載される遮光羽根を円滑に作動させ、その摺動により生じる静電気の発生あるいは帯電を防止する。【解決手段】撮影窓１４を有する本体１０、本体の内部に配置され被写体を撮影するためのレンズ４１，４２及び撮像素子４３を含むカメラ４０、撮影窓１４を開閉する遮光羽根２０を備えた構成において、遮光羽根２０をモータ３０により開閉駆動すると共に、遮光羽根２０の表面に本体１０の塗装膜１０ａと同一色の塗装膜２３を施し、遮光羽根２０の裏面に導電性のある固体潤滑性塗装膜２４を施す。これにより、摺動摩擦が低減されて遮光羽根が円滑に作動し、モータ３０の消費電力が低減され、又、静電気の発生あるいは帯電を防止できる。【選択図】  図１
2004302358.tif 000002
【特許請求の範囲】
【請求項１】
撮影窓を有する本体と、前記本体の内部に配置され被写体を撮影するためのレンズ及び撮像素子を含むカメラと、前記撮影窓を開閉する遮光羽根と、を備えた携帯情報端末装置であって、
前記遮光羽根には、少なくとも一方の面に固体潤滑性部材が設けられている、ことを特徴とする携帯情報端末装置。
【請求項２】
前記遮光羽根には、前記撮影窓から視認し得る側の表面に前記本体の表面と同一色の塗装膜が施され、前記本体内部に面する裏面に前記固体潤滑性部材が設けられている、
ことを特徴とする請求項１記載の携帯情報端末装置。
【請求項３】
前記固体潤滑性部材は、所定の厚さに塗られた塗装膜からなる、
ことを特徴とする請求項１又は２に記載の携帯情報端末装置。
【請求項４】
前記固体潤滑性部材は、導電性を有する材料を含む、
ことを特徴とする請求項１ないし３いずれかに記載の携帯情報端末装置。
【請求項５】
前記固体潤滑性部材は、二硫化モリブデン又はグラファイトを含む合成樹脂材料である、
ことを特徴とする請求項１ないし４いずれかに記載の携帯情報端末装置。
【請求項６】
前記遮光羽根は、電磁アクチュエータの回転駆動力により、開閉駆動される、
ことを特徴とする請求項１ないし５いずれかに記載の携帯情報端末装置。
【発明の詳細な説明】
【０００１】
【発明の属する技術分野】
本発明は、携帯電話機あるいは携帯型パーソナルコンピュータ（ＰＤＡ）等の携帯情報端末装置に関し、特に、操作者あるいは周辺の風景等を撮影可能なカメラを備えた携帯情報端末装置に関する。
【０００２】
【従来の技術】
近年において、画像信号を送受信できる携帯電話機あるいは携帯型パーソナルコンピュータ等の携帯情報端末装置が開発されている。例えば、カメラ（いわゆるモバイルカメラ）を搭載した携帯電話機としては、その本体に撮影窓を設け、本体の内部にデジタル画像を得るためのレンズ及びＣＣＤ等の撮像素子からなるカメラを配置し、さらに、レンズあるいは撮像素子を保護するために、手動にて撮影窓を開閉し得る遮光羽根（カバー）を設けたものが知られている（例えば、特許文献１参照）。
【０００３】
【特許文献１】
特開平２０００−３３２８７１号公報
【０００４】
【発明が解決しようとする課題】
ところで、上記従来の携帯電話機においては、カメラにより撮影する際には、操作者は遮光羽根（カバー）をスライドさせて撮影窓を開放し、一方、非撮影時には逆向きにスライドさせて撮影窓を閉塞しなければならない。
このような開閉操作を行うにあたり、遮光羽根（カバー）は狭い空間に配置されているため、摺動摩擦が発生して開閉操作が円滑に行われない場合がある。また、この開閉操作により静電気が発生して帯電し、装置内部の電子部品に悪影響を及ぼす虞があった。
さらに、手動操作による場合は、操作の煩わしさ故に開放したまま保持される場合があり、撮影窓から強い光線が入り込んで撮像素子を破損、焼損、あるいは撮像素子の前面にあるカラーフィルタを退色させる虞があった。
【０００５】
本発明は、上記の事情に鑑みて成されたものであり、その目的とするところは、撮影窓を開閉する遮光羽根の摺動による摩擦力を低減して、開閉操作の円滑化を図り、又、摺動摩擦による帯電等を防止でき、さらに、開閉操作の煩わしさを解消できる携帯情報端末装置を提供することにある。
【０００６】
【課題を解決するための手段】
本発明の携帯情報端末装置は、撮影窓を有する本体と、本体の内部に配置され被写体を撮影するためのレンズ及び撮像素子を含むカメラと、撮影窓を開閉する遮光羽根と、を備えた携帯情報端末装置であって、上記遮光羽根には、少なくとも一方の面に固体潤滑性部材が設けられている、ことを特徴としている。
この構成によれば、撮影窓を開閉するべく遮光羽根を作動させる際に、固体潤滑性部材（例えば、貼付シートあるいは塗装膜等からなる潤滑性のある部材）が設けられた面と本体の支持面との間で、摺動による摩擦抵抗力が低減されて、遮光羽根は円滑に作動する。これにより、開閉操作に要する作動力（手動による場合は操作力、電磁アクチュエータによる場合はその駆動力）を小さくすることができる。
【０００７】
上記構成において、遮光羽根には、撮影窓から視認し得る側の表面に本体の表面と同一色の塗装膜が施され、本体内部に面する裏面に固体潤滑性部材が設けられている、構成を採用できる。
この構成によれば、遮光羽根の表面は本体の表面と同一色に塗装されているため、撮影窓を閉塞した状態にあるとき、遮光羽根と本体との一体感が得られデザイン的に優れた形態となり、又、遮光羽根の裏面には固体潤滑性部材が設けられているため、上述同様に摩擦抵抗を低減でき、遮光羽根の開閉動作を円滑化できる。
【０００８】
上記構成において、固体潤滑性部材は、所定の厚さに塗られた塗装膜からなる、構成を採用できる。
この構成によれば、塗装膜とすることで、遮光羽根を薄型化、軽量化しつつ、摩擦抵抗を低減でき、開閉動作を円滑化できる。
【０００９】
上記構成において、固体潤滑性部材は、導電性を有する材料を含む、構成を採用できる。
この構成によれば、遮光羽根と本体の支持面と摺動による静電気の発生あるいは帯電を防止できるため、本体の内部に配置された電子部品等への影響を防止できる。
【００１０】
上記構成において、固体潤滑性部材は、二硫化モリブデン又はグラファイトを含む合成樹脂材料である、構成を採用できる。
この構成によれば、優れた潤滑性能が得られると共に、固体潤滑性部材が全体的に黒色になるため、遮光性、光の反射防止等の点で優れ、又、耐薬品性、耐湿候性、防錆効果等が得られる。
【００１１】
上記構成において、遮光羽根は、電磁アクチュエータの回転駆動力により、開閉駆動される、構成を採用できる。
この構成によれば、例えば、電磁アクチュエータにより、非撮影モードでは撮影窓を閉じ、撮影モードでは撮影窓を開放するように、遮光羽根を駆動制御することで、開閉操作の煩わしさが解消され、又、遮光羽根を非撮影モードではバリヤとして、又、撮影モードでは機械的なシャッタとしても用いることができる。これにより、非撮影時に外部から光線が進入するのを防止でき、撮像素子の焼損等による破損、撮像素子の前面にあるカラーフィルタの退色等を防止できる。
【００１２】
【発明の実施の形態】
以下、本発明の実施の形態について、添付図面を参照しつつ説明する。
図１ないし図３は、本発明に係る携帯情報端末装置（ここでは、携帯電話機）の一実施形態を示すものであり、図１はその外観正面図、図２は遮光羽根及び電磁アクチュエータを示す正面図、図３は遮光羽根を含むカメラの断面図である。
【００１３】
この携帯電話機は、図１ないし図３に示すように、本体１０の表面に種々の操作を行う操作釦１１及び種々の情報を表示する表示部（液晶モニター）１２が配置され、本体１０の上端に信号の送受信を行うアンテナ１３が伸縮自在に設けられ、表示部１２の近傍には撮影窓１４が設けられている。また、本体１０の表面は、所定の色をした塗装膜１０ａにより覆われている。
【００１４】
また、本体１０の内部には、撮影窓１４の背後に遮光羽根２０が配置され、遮光羽根２０の側部に電磁アクチュエータとしてのムービングマグネット型のモータ３０が配置され、遮光羽根２０の後方にカメラ４０が配置され、他の内部領域には制御回路等を構成する種々の電子部品を実装した回路基板、電源（電池）等が配置されている。
【００１５】
カメラ４０は、図３に示すように、本体１０の内壁に固定された保持枠１５に保持されており、撮影窓１４側から後方に向けて順次に配列された、レンズ４１、レンズ４２、撮像素子としてのＣＣＤ（電荷結合素子）４３等を備えている。
【００１６】
モータ３０は、図２及び図３に示すように、回転中心から偏倚した駆動ピン３１ａを有し所定の角度範囲を回動するロータ３１、励磁用のコイル３２、磁路を形成するヨーク３３等により形成されている。そして、コイル３２への開き通電により、ロータ３１は遮光羽根２０に開き動作を行わせ、コイル３２への閉じ通電により、ロータ３１は遮光羽根２０に閉じ動作を行わせるようになっている。また、非通電の状態においては、ロータ３１は回動範囲の両端位置にそれぞれ磁気的吸引力により保持されて、遮光羽根２０を開き状態あるいは閉じ状態に保持するようになっている。
【００１７】
遮光羽根２０は、図２及び図３に示すように、支軸１５ａが通される支持孔２１、後述する駆動ピン３１ａが連結される長孔２２を有し、支軸１５ａにより回動自在に支持されると共にその裏面が保持枠１５の平坦な支持面１５ｂに摺動自在に支持されている。
【００１８】
そして、遮光羽根２０は、図２に示すように、非撮影時に撮影窓１４を閉塞する閉じ位置（実線で示す位置）と、撮影時に撮影窓１４を開放する開き位置（二点鎖線で示す位置）との間を往復動して、撮影窓１４を開閉するようになっている。このように、遮光羽根２０は、ＣＣＤ４３、レンズ４１，４２よりも被写体側に配置されているため、遮光羽根２０により撮影窓１４が閉じられることで、外部からの強い光線（例えば、太陽光）が入り込んで、ＣＣＤ４３を焼損、あるいはＣＣＤ４３の前面に設けられたカラーフィルタが退色するのを防止でき、又、レンズ４１にキズ、埃等が付着するのを防止できる。
【００１９】
また、遮光羽根２３は、図３に示すように、撮影窓１４から視認し得る側の表面に、本体１０の表面に施された塗装膜１０ａと同一色の塗装膜２３が施され、本体１０の内部を向き支持面１５と接触する裏面に、固体潤滑性部材としての潤滑性塗装膜２４が施されている。
【００２０】
ここで、潤滑性塗装膜２４は、二硫化モリブデン又はグラファイトの微粉末を含むエポキシ又はフェノール等の合成樹脂材料、さらに詳細には、直径０．１ミクロン〜数ミクロンの範囲にある二硫化モリブデン又はグラファイトあるいは両者の混合物を、２０パーセント〜５０パーセントの割合で含有するエポキシ系樹脂又はフェノール樹脂、さらには両者の混合物をベースとする合成樹脂塗料からなるものである。また、潤滑性塗装膜２４の膜厚は、５ミクロン〜８ミクロン程度が好ましい。
【００２１】
したがって、この潤滑性塗装膜２４によれば、遮光羽根２０の薄型化、軽量化を図りつつ、優れた潤滑性能、良好な導電性が得られると共に、耐薬品性、耐湿候性、防錆効果等が得られ、又、全体的に黒色になるため、遮光性、光の反射防止効果等が得られる。
【００２２】
上記の構成によれば、遮光羽根２０の表面は本体１０の塗装膜１０ａと同一色の塗装膜２３で覆われているため、撮影窓１４を閉塞した状態にあるとき、遮光羽根２０と本体１０とが一体感を生じ、デザイン的に優れた形態が得られる。
また、遮光羽根２０の裏面は潤滑性塗装膜２４で覆われているため、支持面１５との間において摺動により生じる摩擦抵抗が低減される。これにより、モータ３０の駆動力（トルク）が比較的小さくても、遮光羽根２０は円滑に作動するため、モータ３０の小型化、消費電力の低減を行うことができる。
【００２３】
さらに、潤滑性塗装膜２４が導電性を有するため、遮光羽根２０と支持面１５との間で、摺動摩擦により静電気が発生するのを防止でき、あるいは、帯電するのを防止できる。したがって、本体１０の内部に配置された電子部品等への影響が防止される。
【００２４】
次に、上記携帯電話機における遮光羽根２０の開閉動作及びカメラ４０での撮影動作について説明する。先ず、電源がオフのとき、カメラ４０は起動しておらず、非撮影モードの状態にある。このとき、遮光羽根２０は撮影窓１４を閉じた状態に保持されている。したがって、外部からの光線等の進入が阻止され、ＣＣＤ４３、レンズ４１等が保護される。
【００２５】
ここで、電源がオンとされると、カメラ４０は起動して撮影モードに移行する。そして、モータ３０が起動されて、遮光羽根２０は閉じ位置から開き位置に開き動作を行う。このとき、遮光羽根２０と支持面１５との間に潤滑性塗装膜２４が介在するため、遮光羽根２０は円滑かつ迅速に移動する。また、遮光羽根２０が開くことで、ＣＣＤ４３により動画の撮影が可能となる。ここで、表示部１２を眺めながら、静止画として撮影したい構図を設定する。
【００２６】
そして、構図設定が完了し、操作者がレリーズ動作を行うと、ＣＣＤ４３の画像情報に基づいて被写体の光量レベル（明るさ）が測定され、撮影に最適な露光時間が決定され、続けて、遮光羽根２０が円滑に閉じ動作を行い、ＣＣＤ４３がオフとされて蓄積された電荷が吐き出される。
ここで、遮蔽効果の大きい遮光羽根２０を閉じることで、被写体が高輝度の場合でも、撮影の前に蓄積された不要な電荷を確実に吐き出すことができるため、撮影画像の白く霞む現象を防止できる。
【００２７】
続いて、遮光羽根２０が開き動作を行って、ＣＣＤ４３が電荷の蓄積を開始して、予め決定された露光時間を経た後に、遮光羽根２０が閉じ動作を行う。
撮影された画像データが記憶部等に転送され、電源がオフとされると、カメラ４０は非撮影モードに移行し、モータ３０が起動して遮光羽根２０を閉じ位置に移動させ撮影窓１４を閉塞する。
【００２８】
このように、遮光羽根２０が、撮影窓１４を遮蔽するバリヤとして、又、撮影の際の機械的なシャッタとして自動的に駆動されることで、カメラ４０で撮影する際の操作の煩わしさを解消でき、又、非撮影時において太陽光等の強力な光線が進入するのを阻止してＣＣＤ４３の焼損、破損等、カラーフィルタの退色等を防止でき、又、レンズ４１へのキズあるいは埃の付着を防止でき、さらに、被写体が高輝度の場合であっても高画質の画像を得ることができる。
【００２９】
上記実施形態においては、遮光羽根２０に固体潤滑性部材を設けるにあたって、その裏面に潤滑性塗装膜２４を設ける場合を示したが、これに限定されるものではなく、撮影窓１４側の表面が本体１０の内壁と摺動する場合には、この表面に同様の潤滑性塗装膜を設けてもよい。また、ここでは、固体潤滑性部材として、塗装膜２４を示したが、これに限定されるものではなく、潤滑性のある上記樹脂材料を用いて予めシート状に形成されたものを貼付してもよい。
【００３０】
上記実施形態においては、カメラ４０を構成するレンズとして二枚構成のレンズ４１，４２を示したが、これに限定されるものではなく、１枚構成であっても３枚以上の構成であってもよい。
上記実施形態においては、カメラ４０のレンズ光学系として、単焦点の場合を示したが、これに限定されるものではなく、望遠〜広角の撮影が可能な変倍レンズ光学系を備えたカメラにおいて本発明に係る遮光羽根２０を採用してもよい。
【００３１】
また、上記実施形態においては、遮光羽根として、所定の角度範囲を揺動するものを示したが、これに限定されるものではなく、撮影窓１４を開閉し得るものであれば、その開閉動作は直線的に往復動するものでも、リボルバー状に形成された円板状のものが回転するものであってもよい。
【００３２】
上記実施形態においては、電磁アクチュエータとして、ロータを備えたムービングマグネット型のモータ３０を示したが、これに限定されるものではなく、ステッピングモータ等を含め、その他の電磁アクチュエータであってもよい。
さらに、上記実施形態においては、カメラ４０を搭載する携帯情報端末装置として、携帯電話機を示したが、携帯型パーソナルコンピュータ等、その他の携帯情報端末装置であってもよい。
【００３３】
【発明の効果】
以上述べたように、本発明の携帯情報端末装置によれば、撮影窓を開閉するべく配置された遮光羽根に対して、少なくとも一方の面に固体潤滑性部材を設けたことにより、本体の支持面との摺動による摩擦抵抗力が低減されて、遮光羽根を円滑に作動させることができる。これにより、開閉操作に要する作動力、特に、電磁アクチュエータによる場合はその駆動力を小さくすることができ、消費電力を低減でき又電磁アクチュエータを小型化できる。また、固体潤滑性部材に導電性をもたせることにより、摺動による静電気の発生あるいは帯電を防止でき、本体内部に配置された電子部品等への影響を防止できる。
【図面の簡単な説明】
【図１】本発明に係る携帯情報端末装置（携帯電話機）の外観を示す平面図である。
【図２】遮光羽根及び電磁アクチュエータを示す正面図である。
【図３】本体に内蔵された遮光羽根、電磁アクチュエータ、レンズ及び撮像素子を含むカメラ等を示す断面図である。
【符号の説明】
１０  本体
１０ａ  本体の塗装膜
１１  操作釦
１２  表示部
１３  アンテナ
１４  撮影窓
１５  保持枠
１５ａ  支軸
１５ｂ  支持面
２０  遮光羽根
２１  支持孔
２２  長孔
２３  塗装膜
２４  潤滑性塗装膜（固体潤滑性部材）
３０  モータ（電磁アクチュエータ）
３１  ロータ
３１ａ  駆動ピン
３２  コイル
３３  ヨーク
４０  カメラ
４１，４２  レンズ
４３  ＣＣＤ（撮像素子）
【図１】
2004302358.tif 000003
【図２】
2004302358.tif 000004
【図３】
2004302358.tif 000005